(57)【要約】【課題】合撚糸機において、スピンドルを構成するロータリーディスクの外径寸法を小さくすることにより、スピンドルを駆動回転させるための駆動源の消費電力量を減らして、ランニングコストを軽減する。【解決手段】スピンドル６０の静止ディスク６３上に給糸ボビン１２を嵩上げ部材７０を介して装着して、該嵩上げ部材７０の分だけ給糸ボビン１２を静止ディスク６３上の高位置に設置させた。このように給糸ボビン１２が高位置に設置されていると、下半部にかかるバルーン５１の径を小径化した場合でも、給糸ボビン１２の外周面の下端部にバルーン５１が接するおそれは少なく、従って、該バルーン５１の径を規定するスピンドル６０のロータリーディスク６２の外径寸法を従来寸法に比べて小さくすることができる。【選択図】図６
2012001857.tif 000002
【特許請求の範囲】
【請求項１】
ロータリーディスクを備えるスピンドルと、該スピンドルを回転駆動する駆動源とを備え、
スピンドルの静止ディスク上に設置された給糸ボビンから解舒された糸をロータリーディスクの回転により給糸ボビンの周囲でバルーンさせることで、糸に撚糸処理を施す合撚糸機であって、
前記スピンドルの静止ディスク上に、前記給糸ボビンが嵩上げ部材を介して装着されており、該嵩上げ部材の分だけ給糸ボビンが静止ディスク上の高位置に設置されていることを特徴とする合撚糸機。
【請求項２】
機台の上部に配されたボビン支持フレームに装着された第１の給糸ボビンと、機台の下部に配されたスピンドル上に設置された第２の給糸ボビンとを備え、
第１の給糸ボビンから解舒されたクリール糸と、第２の給糸ボビンから解舒されたスピンドル糸とを撚り合わせて、合撚糸を形成する合撚糸機であって、
前記ボビン支持フレームは、片持ち状に水平方向に伸びる二本のボビン支持軸を備えており、
両ボビン支持軸が、同じ高さ位置に設けられていることを特徴とする合撚糸機。
【請求項３】
給糸ボビンから解舒されて張力付与装置により所定のテンションが付与された糸に撚りを入れて合撚糸を作成する合撚糸機であって、
前記張力付与装置は、支持軸と、該支持軸まわりに回転可能に設けられた固定および可動ディスクと、該可動ディスクを該固定ディスクに向かって押圧付勢する付勢部材とを含み、
前記固定ディスクは、前記支持軸の軸芯方向には移動不能に構成されており、前記付勢部材により前記支持軸の軸芯方向に移動可能に構成された前記可動ディスクを該固定ディスクに向かって押圧付勢することで、両ディスク間を走行する糸に対してテンションを付与することができるように構成されており、
前記付勢部材は、前記可動ディスクと、前記支持軸の軸芯方向に移動可能に構成されたスライダーとの間に配置されており、
前記支持軸の端部と、前記スライダーとの間にスペーサを介在させることにより、該スライダーの前記支持軸の軸芯方向の位置を変更して、前記可動ディスクに対する前記付勢部材の付勢力を変更調整することができるようにしてあることを特徴とする合撚糸機。
【請求項４】
前記支持軸、前記固定および可動ディスク、および前記スライダーは、ハウジング内に収納されており、
前記ハウジングには、前記スペーサを差込装着するための開口部が形成されており、
前記スペーサが、前記スライダーに接する受板部と、前記開口部の幅寸法よりも大形に形成されて、前記ハウジング内への受板部の差込限界を規制するための規制部とを有し、
前記受板部に前記支持軸との接触を避けるためのスリットが形成されている、請求項３記載の合撚糸機。
【請求項５】
巻取装置の上流側に、該巻取装置で巻き取られる糸のテンションを制御するためのフィードローラを備える合撚糸機であって、
前記フィードローラは、駆動回転される一対のディスクと、両ディスクの間に介在されたスペーサとを含み、
各ディスクの外周縁の対向内面には、複数個の突起が周方向へ等間隔おきに突設されており、両ディスクは、各突起の周方向の位相をずらした状態で、前記スペーサを介して対向配置されており、
前記突起には、前記ディスクの外周縁側に下り傾斜して、糸を受け止める傾斜面が形成されており、隣り合う突起の傾斜面を繋ぐように、該ディスクの全周に亘って糸道が形成されており、
前記糸が糸道の一部に受け止められた状態で、巻取装置側へ送られるようになっていることを特徴とする合撚糸機。
【請求項６】
複数個のラインを備える合撚糸装置であって、
前記ラインは、合撚糸ラインと撚糸ラインとで構成されており、
前記合撚糸ラインは、機台の上部に配された第１の給糸ボビンから解舒され、機台の下部に配されて駆動源によって回転されるスピンドルのロータリーディスクによってバルーンが形成されたクリール糸と、前記スピンドルの静止ディスク上に装着された第２の給糸ボビンから解舒されたスピンドル糸とを撚り合わせて合撚糸を形成し、該合撚糸を巻取装置で巻き取るものであり、
前記撚糸ラインは、機台の下部に配されて駆動源によって回転されるスピンドルの静止ディスク上に装着された第３の給糸ボビンから解舒されたスピンドル糸を撚って撚糸を形成し、該撚糸を巻取装置で巻き取るものであり、
前記合撚糸ラインおよび撚糸ラインにおいて、少なくとも機台および巻取装置が、両ラインで共通化されていることを特徴とする合撚糸機。
【請求項７】
機台の上部に配されたボビン支持フレームに装着された第１の給糸ボビンと、機台の下部に配されたスピンドル上に設置された第２の給糸ボビンとを備え、第１の給糸ボビンから解舒されたクリール糸と、第２の給糸ボビンから解舒されたスピンドル糸とを撚り合わせて、合撚糸を形成する合撚糸機を使った合撚糸製造方法であって、
満巻き状態の給糸ボビンを第１のボビン支持軸に装着し、満巻き状態に対して外径寸法が半分程度の給糸ボビンをスピンドル上に設置して、合撚糸を作成する第１の合撚糸作成工程と、
第１のボビン支持軸に装着された給糸ボビンが、その外径寸法が満巻き状態に対して半分程度の半巻き状態に至ると、この半巻き状態の給糸ボビンをスピンドル上に設置するとともに、スピンドル上に設置されていた使用途中の給糸ボビンを第２のボビン支持軸に装着し、さらに第１のボビン支持軸に満巻き状態の給糸ボビンを装着するローテーション工程と、
第１のボビン支持軸に装着された満巻き状態の給糸ボビンの糸始端と、第２のボビン支持軸に装着された使用途中の給糸ボビンの糸終端とを結合したうえで、該使用途中の給糸ボビン、次いで満巻き状態の給糸ボビンから繰り出した糸と、スピンドル上の半巻き状態の給糸ボビンから繰り出された糸とを撚り合わせて、合撚糸を作成する第２の合撚糸作成工程と、
を含み、
前記ローテーション工程と、第２の合撚糸作成工程とを繰り返して、合撚糸を得ることを特徴とする合撚糸機を使った合撚糸の製造方法。
【発明の詳細な説明】
【技術分野】
【０００１】
本発明は、二本の糸を撚り合わせて合糸を作成し、この合糸を撚って合撚糸を作成する合撚糸機と、この合撚糸機を使った合撚糸の製造方法に関する。本発明に係る合撚糸機は、特にタイヤコード用ケーブルツイスター等の産業資材用の合撚糸機に適用される。
【背景技術】
【０００２】
この種の撚糸機の従来技術には特許文献１乃至４がある。これら特許文献に開示されている撚糸機では、以下に示すような問題があった。
【先行技術文献】
【特許文献】
【０００３】
【特許文献１】特許第２５９８５１６号公報
【特許文献２】特開２００５−０４８３１２号公報
【特許文献３】特開２００７−２９１５６８号公報
【特許文献４】特開２０００−２１２８４２号公報
【発明の概要】
【発明が解決しようとする課題】
【０００４】
・スピンドルの外径寸法が大きく、駆動源の消費電力量が大きくなるという問題。
特許文献１および２には、機台の上部に配された第１の給糸ボビンから解舒され、機台の下部に配されて駆動源によって回転されるスピンドルのロータリーディスクによってバルーンが形成されたクリール糸と、スピンドルの静止ディスク上に装着された第２の給糸ボビンから解舒されたスピンドル糸とを撚り合わせて合撚糸を形成する合撚糸機が記載されている。これら合撚糸機においては、クリール糸のバルーンが第２の給糸ボビンに接触することを防ぐため、スピンドルのロータリーディスクの外径寸法は、満巻き状態の第２の給糸ボビンの外径寸法と略同一、或いはそれよりも大きく設定されている。このように、外径寸法が大きなスピンドルを用いると、駆動源の消費電力量が大きくなり、合撚糸機全体の消費電力量が増大化するという問題が生じる。
【０００５】
・第１の給糸ボビンのボビン支持構造が複雑化することに伴ってコストアップ、およびボビンの取り外し作業が煩雑化を招来するという問題。
特許文献１には、機台上部に配されて斜め上方に指向されたボビン支持軸と、該ボビン支持軸よりも上方に配されて、水平方向に指向されたボビン支持軸の両支持軸のそれぞれに第１の給糸ボビンが装着される形態が開示されている。かかる特許文献１の形態では、水平方向に指向されたボビン支持軸へ第１の給糸ボビンを装着するためには、梯子や踏み台を用いて高所作業を行なう必要があり、作業効率が悪いという問題があった。一方、特許文献２には、特許文献１の問題を解決するため、第１の給糸ボビンを昇降支持するための昇降支持装置を備えた合撚糸機が開示されている。しかし、かかる昇降支持構造は構造が複雑であり、合撚糸機全体のコストアップを招来するという問題があった。
【０００６】
・マグネットセンサーは構造が複雑であり、加えてマグネットテンサーはメンテナンス性が悪いという問題。
従来の合撚糸機においては、第１の給糸ボビンから解舒された糸へテンションを付与するテンサーとして、固定ディスクに対する可動ディスクの押圧付勢力を磁力により調整するマグネットテンサーが採用されていた（特許文献３参照）。しかし、マグネットテンサーは、構造が複雑であり、故障すると、その復旧作業を作業効率良く簡便に行なうことができないという問題があった。
【０００７】
・フィードローラに対する糸の巻掛作業が容易でなく、作業効率が悪いという問題。
特許文献３に示すように、従来のフィードローラは、送りローラと補助ローラとに複数回糸を巻き掛けて糸の搬送を行なっており、これら送りローラおよび補助ローラに複数回を巻き掛けることによって、糸を整列させつつ安定した搬送を実現していた。しかし、両ローラへの糸の巻掛作業に手間が掛かり、迅速に合糸作業を進めることができないという問題があった。
【０００８】
・合撚糸ラインと撚糸ラインのレイアウトに関する自由度が低いという問題。
特許文献４には、二本の糸を撚り合わせて合糸を作成する合撚糸ラインと、一本の糸を撚って撚糸を作成する撚糸ラインとを備える撚糸機が開示されている。しかし、特許文献４の形態において、両ラインを構成するスピンドルの駆動源や巻取装置等は共用部品化されておらず、加えて両ラインのフレームは異なるものとなっている。従って、使用者の製造形態に合わせて、両ラインを自由にレイアウトすることができない点に不利があった。
【０００９】
・給糸ボビンに巻き掛けられた糸を最後まで使い切ることができないという問題。
特許文献１・２には、機台の上部に配された第１の給糸ボビンから解舒され、機台の下部に配されて駆動源によって回転されるスピンドルのロータリーディスクによってバルーンが形成されたクリール糸と、スピンドルの静止ディスク上に装着された第２の給糸ボビンから解舒されたスピンドル糸とを撚り合わせて合撚糸を形成する合撚糸機が記載されている。これら合撚糸機においては、例えば糸切れ等により、第１の給糸ボビンから送り出されるクリール糸の全長が、第２の給糸ボビンから送り出されるスピンドル糸の全長よりも短くなると、クリール糸の全長を基準として合撚糸が作成されるため、第２の給糸ボビンには糸が残ることとなり、最後まで糸を使い切ることができず、糸の歩留まりが悪いという問題があった。
【００１０】
本発明は、スピンドルを構成するロータリーディスクの外径寸法を小さくすることにより、スピンドルを駆動回転させるための駆動源の消費電力量を減らして、ランニングコストを軽減できる合撚糸機を提供することを目的とする。
本発明は、機台の上方に配されたボビン支持構造の簡素化を図ることにより、製造コストを削減できる合撚糸機を提供することを目的とする。
本発明は、第１の給糸ボビンから解舒された糸へテンションを付与する張力付与装置を従来のマグネットテンサーから機械式テンサーとすることにより、構造の簡素化を図り、メンテナンス性の向上を図ることができる合撚糸機を提供することを目的とする。
本発明は、送りローラおよび補助ローラへの巻掛作業が不要であり、従って合撚糸作業を迅速に進めることが可能なフィードローラを備えた合撚糸機を提供することを目的とする。
本発明の目的は、合撚糸ラインと撚糸ラインの二種のラインを備える合撚糸機において、両ラインのレイアウトの自由度の向上を図ることにある。
本発明の目的は、クリール糸とスピンドル糸とを撚り合わせて合撚糸を得る合撚糸製造方法において、給糸ボビンに巻き掛けられた糸を最後まで使い切って、糸の歩留まりの向上を図ることにある。
【課題を解決するための手段】
【００１１】
本発明は、ロータリーディスクを備えるスピンドルと、該スピンドルを回転駆動する駆動源とを備え、スピンドルの静止ディスク上に設置された給糸ボビンから解舒された糸をロータリーディスクの回転により給糸ボビンの周囲でバルーンさせることで、糸に撚糸処理を施す合撚糸機である。そして、前記スピンドルの静止ディスク上に、前記給糸ボビンが嵩上げ部材を介して装着されており、該嵩上げ部材の分だけ給糸ボビンが静止ディスク上の高位置に設置されていることを特徴とする。
【００１２】
本発明は、機台の上部に配されたボビン支持フレームに装着された第１の給糸ボビンと、機台の下部に配されたスピンドル上に設置された第２の給糸ボビンとを備え、第１の給糸ボビンから解舒されたクリール糸と、第２の給糸ボビンから解舒されたスピンドル糸とを撚り合わせて、合撚糸を形成する合撚糸機である。そして、前記ボビン支持フレームが、片持ち状に水平方向に伸びる二本のボビン支持軸を備えており、両ボビン支持軸が、同じ高さ位置に設けられていることを特徴とする。
【００１３】
本発明は、給糸ボビンから解舒されて張力付与装置により所定のテンションが付与された糸に撚りを入れて合撚糸を作成する合撚糸機である。前記張力付与装置は、支持軸と、該支持軸まわりに回転可能に設けられた固定および可動ディスクと、該可動ディスクを該固定ディスクに向かって押圧付勢する付勢部材とを含む。前記固定ディスクは、前記支持軸の軸芯方向には移動不能に構成されており、前記付勢部材により前記支持軸の軸芯方向に移動可能に構成された前記可動ディスクを該固定ディスクに向かって押圧付勢することで、両ディスク間を走行する糸に対してテンションを付与することができるように構成されている。前記付勢部材は、前記可動ディスクと、前記支持軸の軸芯方向に移動可能に構成されたスライダーとの間に配置されている。そして、前記支持軸の端部と、前記スライダーとの間にスペーサを介在させることにより、該スライダーの前記支持軸の軸芯方向の位置を変更して、前記可動ディスクに対する前記付勢部材の付勢力を変更調整することができるようにしてあることを特徴とする。
【００１４】
前記支持軸、前記固定および可動ディスク、および前記スライダーは、ハウジング内に収納されている。前記ハウジングには、前記スペーサを差込装着するための開口部が形成されている。そして、前記スペーサが、前記スライダーに接する受板と、前記開口部の幅寸法よりも大形に形成されて、前記ハウジング内への受板の差込限界を規制するための規制部とを有し、前記受板に前記支持軸との接触を避けるためのスリットが形成されている形態を採ることができる。
【００１５】
本発明は、巻取装置の上流側に、該巻取装置で巻き取られる糸のテンションを制御するためのフィードローラを備える合撚糸機である。前記フィードローラは、駆動回転される一対のディスクと、両ディスクの間に介在されたスペーサとを含む。各ディスクの外周縁の対向内面には、複数個の突起が周方向へ等間隔おきに突設されており、両ディスクは、各突起の周方向の位相をずらした状態で、前記スペーサを介して対向配置されている。前記突起には、前記ディスクの外周縁側に下り傾斜して、糸を受け止める傾斜面が形成されており、隣り合う突起の傾斜面を繋ぐように、該ディスクの全周に亘って糸道が形成されている。そして、前記糸が糸道の一部に受け止められた状態で、巻取装置側へ送られるようになっていることを特徴とする。
【００１６】
本発明は、複数個のラインを備える合撚糸装置を対象とする。前記ラインは、合撚糸ラインと撚糸ラインとで構成されている。前記合撚糸ラインは、機台の上部に配された第１の給糸ボビンから解舒され、機台の下部に配されて駆動源によって回転されるスピンドルのロータリーディスクによってバルーンが形成されたクリール糸と、前記スピンドルの静止ディスク上に装着された第２の給糸ボビンから解舒されたスピンドル糸とを撚り合わせて合撚糸を形成し、該合撚糸を巻取装置で巻き取るものである。前記撚糸ラインは、機台の下部に配されて駆動源によって回転されるスピンドルの静止ディスク上に装着された第３の給糸ボビンから解舒されたスピンドル糸を撚って撚糸を形成し、該撚糸を巻取装置で巻き取るものである。そして、前記合撚糸ラインおよび撚糸ラインにおいて、少なくとも機台および巻取装置が、両ラインで共通化されていることを特徴とする。
【００１７】
本発明は、機台の上部に配されたボビン支持フレームに装着された第１の給糸ボビンと、機台の下部に配されたスピンドル上に設置された第２の給糸ボビンとを備え、第１の給糸ボビンから解舒されたクリール糸と、第２の給糸ボビンから解舒されたスピンドル糸とを撚り合わせて、合撚糸を形成する合撚糸機を使った合撚糸製造方法である。
この合撚糸製造方法は、満巻き状態の給糸ボビンを第１のボビン支持軸に装着し、満巻き状態に対して外径寸法が半分程度の給糸ボビンをスピンドル上に設置して、合撚糸を作成する第１の合撚糸作成工程と、第１のボビン支持軸に装着された給糸ボビンが、その外径寸法が満巻き状態に対して半分程度の半巻き状態に至ると、この半巻き状態の給糸ボビンをスピンドル上に設置するとともに、スピンドル上に設置されていた使用途中の給糸ボビンを第２のボビン支持軸に装着し、さらに第１のボビン支持軸に満巻き状態の給糸ボビンを装着するローテーション工程と、第１のボビン支持軸に装着された満巻き状態の給糸ボビンの糸始端と、第２のボビン支持軸に装着された使用途中の給糸ボビンの糸終端とを結合したうえで、該使用途中の給糸ボビン、次いで満巻き状態の給糸ボビンから繰り出した糸と、スピンドル上の半巻き状態の給糸ボビンから繰り出された糸とを撚り合わせて、合撚糸を作成する第２の合撚糸作成工程とを含む。そして、前記ローテーション工程と、第２の合撚糸作成工程とを繰り返して、合撚糸を得ることを特徴とするものである。
【発明の効果】
【００１８】
本発明に係る合撚糸機においては、スピンドルの静止ディスク上に給糸ボビンを嵩上げ部材を介して装着して、該嵩上げ部材の分だけ給糸ボビンを静止ディスク上の高位置に設置させた。このように給糸ボビンが高位置に設置されていると、下半部に係るバルーンの径を小径化した場合でも、給糸ボビンの外周面の下端部にバルーンが接するおそれは少なく、従って、該バルーンの径を規定するスピンドルのロータリーディスクの外径寸法を従来寸法に比べて小さくすることができる。以上より、本発明によれば、スピンドルのロータリーディスクの外径寸法を小さくすることができるので、該スピンドルを駆動回転させるためのスピンドルモータの消費電力量が少なくて済み、従って、撚糸機のランニングコストの抑えることができる。
【００１９】
本発明に係る合撚糸機においては、ボビン支持フレームを、片持ち状に水平方向に伸びる二本のボビン支持軸を備えるものとした。また、両ボビン支持軸を同じ高さ位置に設けた。本発明形態によれば、同じ高さ位置に形成されて水平方向に伸びるボビン支持軸に、給糸ボビンのボビン筒を差し込むだけで、給糸ボビンをボビン支持フレームに装着することができるので、特許文献１のように、異なる高さ位置に形成されたボビン支持軸に給糸ボビンを装着する形態に比べて、給糸ボビンの装着作業を簡単且つ迅速に進めることが可能である。特許文献１の形態では、上方のボビン支持軸への装着作業時に梯子等が必要となるおそれがあるが、本発明形態では、より低い位置での装着作業が可能であり、梯子等が不要である点でも優れている。また、かかるボビン支持軸は、昇降支持装置（特許文献２参照）などの複雑な機構を備えるものではなく、合撚糸機全体のコストアップを招く不利も無い。
【００２０】
本発明に係る合撚糸機では、クリール糸に所定のテンションを付与するための張力付与装置を、支持軸と、該支持軸まわりに回転可能に設けられた固定ディスクおよび可動ディスクと、支持軸の軸芯方向に移動可能に構成されたスライダーと、可動ディスクとスライダーとの間に配されて可動ディスクを固定ディスクに向かって押圧付勢するコイルばねとを含み、コイルばねにより支持軸の軸芯方向に移動可能に構成された可動ディスクを固定ディスクに向かって押圧付勢することで、両ディスク間を走行するクリール糸に対してテンションを付与することができる機械式の張力付与装置として構成した。また、コイルばねによる可動ディスクへの付勢力を調整することを目的として、支持軸の後端部のスナップリングとスライダーとの間にスペーサを介在させることができるようにして、スペーサの枚数や該スペーサの板厚を異なるものとすることにより、コイルばねの可動ディスクに対する押圧付勢力を変更して、両ディスク間を走行する糸に対するテンションを調整することができるようにした。このような機械式の張力付与装置は、従来のマグネットテンサーに比べて構造が簡単であり、故障時における復旧作業が容易である点、およびメンテナンス作業等が容易である点で優れている。
【００２１】
本発明に係る合撚糸機では、フィードローラを、駆動回転される一対のディスクと、両ディスクの間に介在されたスペーサとを含むものとして、糸が糸道の一部に受け止められた状態で、巻取装置側へ送られるようにした。これによれば、従来のフィードローラでは不可欠であった、送りローラ或いは補助ローラへの全周に亘る巻掛作業を廃することができるので、より迅速にフィードローラへの糸掛け作業を行なって、合撚糸作業をより迅速に進めることが可能となる。また、従来のフィードローラでは、送りローラ等に巻き掛けられた合撚糸の下流側の糸に、上流側の糸が重なると、下流側の糸が巻取装置に送られず、糸切れを生じるおそれがあるが、本実施形態に係るフィードローラでは、糸が重なることがなく、従って糸切れを招くおそれが全く無い点で優れている。
【００２２】
本発明に係る合撚糸機では、少なくとも機台および巻取装置を、合撚糸ラインと撚糸ラインの両ラインにおいて共通化したので、合撚糸機における合撚糸ラインと撚糸ラインのレイアウトの自由度が格段に向上する。すなわち、使用者の製造状況に合わせて、合撚糸ラインおよび撚糸ラインを、合撚糸機の任意の位置に自由に配置することができるので、レイアウト自由度に優れた合撚糸機を得ることができる。
【００２３】
本発明に係る合撚糸機を使った合撚糸製造方法においては、満巻き状態からボビン径が小さくなると（満巻き状態の給糸ボビン→半巻き状態の給糸ボビン→使用途中の給糸ボビン）、支持フレームの第１の支持軸、スピンドルの静止ディスク、次いで支持フレームの第２の支持軸の順に、給糸ボビンをローテーションするようにし、さらに、満巻き状態の給糸ボビンの糸始端と、第２のボビン支持軸に装着された使用途中の給糸ボビンの糸終端とを結合するようにした。これによれば、クリール糸は使用途中の給糸ボビンの残糸を使い切ったのちに、満巻き状態の給糸ボビンに移行して供給されるので、使用途中の給糸ボビンの残糸を無駄なく最後まで使用することができる。したがって、使用途中の給糸ボビンが在庫されることや廃棄されることがなく、糸の歩留まりを向上させることが出来る。
【図面の簡単な説明】
【００２４】
【図１】本発明に係る合撚糸機の縦断側面図である。
【図２】本発明に係る合撚糸機の全体構成を示す正面図である。
【図３】本発明に係る合撚糸機の合撚糸作成ラインを示す正面図である。
【図４】本発明に係る合撚糸機の撚糸作成ラインを示す正面図である。
【図５】本発明に係る合撚糸機を構成するスピンドル機構を示す正面図である。
【図６】本発明に係る合撚糸機を構成するスピンドル機構の縦断側面図である。
【図７】本発明に係る合撚糸機のボビン支持構造を示す平面図である。
【図８】本発明に係る合撚糸機のボビン支持構造の要部の平面図である。
【図９】本発明に係る合撚糸機のボビン支持構造に装着された給糸ボビンからの糸の繰り出し方法を説明するための図である。
【図１０】本発明に係る合撚糸機を構成する張力付与装置の縦断正面図である。
【図１１】本発明に係る合撚糸機を構成する張力付与装置の縦断側面図である。
【図１２】本発明に係る合撚糸機を構成する張力付与装置の平面図である。
【図１３】本発明に係る合撚糸機を構成する張力付与装置の要部の横断平面図である。
【図１４】本発明に係る合撚糸機を構成するフィードローラを説明するための図である。
【図１５】本発明に係る合撚糸機を構成するフィードローラの要部の横断平面図である。
【図１６】本発明に係る合撚糸機を構成するフィードローラの糸道を示す要部の側面図である。
【図１７】本発明に係る合撚糸機の基本フレーム構造を示す、側面図である。
【図１８】（ａ）〜（ｃ）は本発明に係る合撚糸機を使った合撚糸作成方法を説明するための図である。
【図１９】（ａ）〜（ｃ）は本発明に係る合撚糸機を使った合撚糸作成方法を説明するための図である。
【発明を実施するための形態】
【００２５】
図１乃至図１９に、本発明に係る合撚糸機および合撚糸の製造方法の実施例を示す。なお、本実施例において、上下、左右、および前後方向は、図１および図２等に示す十字矢印の記載に従う。
【００２６】
図２に示すように、この合撚糸機１は、左右方向に並設された複数個の本体ユニット２と、該本体ユニット２の左端部に連続して配されて駆動モータ３を内蔵するドライブエンドボックス４と、合撚糸機１全体の制御を担うコントロールボックス５とを備える。図１に示すように、各本体ユニット２の前後面のそれぞれには、二つずつの合撚糸ライン７或いは撚糸ライン８を組み付けるためのボックス９が設けられている。すなわち、各本体ユニット２は、前後一対および左右一対の計４個のボックス９を備える。
【００２７】
図１７に示すように、各本体ユニット２を構成するボックス９は、前後面に開口を有する上下方向に長い箱型のフレーム１０を機台とするものであり、各ボックス９には、合撚糸ライン７或いは撚糸ライン８のいずれか一方の合撚糸ラインが組み付け可能に構成されている。予め各ボックス９のフレーム１０の上方にはトラバース装置９０、巻取装置９１、およびフィードローラ８０が設けられ、フレーム１０の下方にはスピンドル６０の支持基台５５が設けられている。すなわち、合撚糸ライン７と撚糸ライン８の両ラインは、フレーム１０、トラバース装置９０、巻取装置９１、フィードローラ８０、およびスピンドル６０の支持基台５５が共通化されており、各ボックス９にはいずれのライン７・８を設置することも可能である。
【００２８】
図１に示すように、合撚糸ライン７は、二本の糸Ｙ１・Ｙ２を撚り合わせて合撚糸Ｙ３を形成するものである。すなわち、合撚糸ライン７は、機台の上部に配された第１の給糸ボビン１１から解舒され、機台の下部に配されてスピンドルモータ５２（駆動源）によって回転されるスピンドル６０のロータリーディスク６２によってバルーン５１が形成されたクリール糸Ｙ１と、スピンドル６０の静止ディスク６３上に装着された第２の給糸ボビン１２から解舒されたスピンドル糸Ｙ２とを撚り合わせて合撚糸Ｙ３を形成し、該合撚糸Ｙ３を巻取装置９１で巻き取るものである。
一方の撚糸ライン８は、一本の糸Ｙ４に撚りを入れて撚糸Ｙ５を形成するものである。すなわち、撚糸ライン８は、機台の下部に配されてスピンドルモータ５２（駆動源）によって回転されるスピンドル６０の静止ディスク６３上に装着された第３の給糸ボビン１３から解舒されたスピンドル糸Ｙ４に撚りを入れて撚糸Ｙ５を形成し、該撚糸Ｙ５を巻取装置９１で巻き取るものである。
【００２９】
このように、合撚糸ライン７と撚糸ライン８の両ラインにおいて、フレーム１０、巻取装置９１等を共通化してあると、合撚糸装置１における合撚糸ライン７と撚糸ライン８のレイアウトの自由度が格段に向上する。すなわち、使用者の製造状況に合わせて、合撚糸ライン７および撚糸ライン８を、合撚糸装置１の任意の位置に自由に配置することができるので、レイアウトの自由度に優れた合撚糸装置１を提供することができる。
【００３０】
次に、合撚糸ライン７の詳細構成について説明する。
かかる合撚糸ライン７は、図１に示すように、第１の給糸ボビン１１を装着するためのボビン支持フレーム２０と、第１の給糸ボビン１１から解舒されたクリール糸Ｙ１にテンションを付与するテンサー（張力付与装置）３０と、該クリール糸Ｙ１と、静止ディスク６３上に設置された第２の給糸ボビン１２から解舒されたスピンドル糸Ｙ２とを撚り合わせて合撚糸Ｙ３を作成する合合撚糸装置５０と、合撚糸Ｙ３にテンションを付与するフィードローラ８０と、合撚糸Ｙ３を巻き取り、巻取パッケージ９２を作成する巻取装置９１とを備える。
【００３１】
図７乃至図９に示すように、フレーム１０の上部には、第１の給糸ボビン１１を装着するためのボビン支持フレーム２０が設けられている。各ボビン支持フレーム２０は、片持ち状に水平方向に伸びて、第１の給糸ボビン１１を支持する二本のボビン支持軸２１（２１ａ・２１ｂ）と、各ボビン支持軸２１（２１ａ・２１ｂ）を支持するブラケット２２・２２とで構成される。ブラケット２２は、フレーム１０の上面から伸びるアーム２３に固定されている。各ボビン支持軸２１（２１ａ・２１ｂ）は、二枚の板材を十字状に組み合わせてなるものであり、ボビン支持軸２１にボビン筒１４を外嵌状に装着されることで給糸ボビン１１は装着支持されている。両ボビン支持軸２１（２１ａ・２１ｂ）は、同じ高さ位置に設けられている。また、図７および図８に示すように、一方のボビン支持軸２１（第１のボビン支持軸２１ａ）は、前後方向に向かって形成されており、他方のボビン支持軸２１（第２のボビン支持軸２１ｂ）は前後方向に対して傾斜する傾斜姿勢に形成されている。従って、両ボビン支持軸２１ａ・２１ｂは、遊端部どうしの間隔寸法が、基端部どうしの間隔寸法よりも小さくなる、上方視でハ字状となる姿勢状態でフレーム１０に固定されている。各ボビン支持軸２１（２１ａ・２１ｂ）は、棒状の物であれば良く、ボビン筒１４よりも小さな径とすることもできる。ボビン支持軸２１をボビン筒１４よりも小径とした場合には、第１の給糸ボビン１１の装着が容易になる。
【００３２】
図８に示すように、糸ガイド２４の遊端部に設けられたガイド孔２５は、両ボビン支持軸２１ａ・２１ｂの仮想軸芯線の交差位置に設けられている。第１のボビン支持軸２１ａに装着された満巻き状態の給糸ボビン１１（１１ａ）の糸始端と、第２のボビン支持軸２１ｂに装着された使用途中の給糸ボビン１１（１１ｂ）の糸終端とは結合されており、通常の合撚糸Ｙ３の作成工程においては、最初に使用途中の給糸ボビン１１（１１ｂ）からクリール糸Ｙ１が送り出され、この給糸ボビン１１（１１ｂ）の糸が無くなると、満巻き状態の給糸ボビン１１（１１ａ）からクリール糸Ｙ１が送り出されるようになっている。かかる合撚糸Ｙ３の作成方法の詳細については後述する。
【００３３】
図１および図３において、符号３０は、第１の給糸ボビン１１（１１ａ・１１ｂ）から解舒されて送り出されたクリール糸Ｙ１に所定のテンションを付与するためのテンサー（張力付与装置）を示す。図１０に示すように、テンサー３０は、四角箱状のハウジング３１と、該ハウジング３１内に設けられた、上下一対のテンション機構３２・３２とで構成される機械式テンサーである。各テンション機構３２は、左右水平方向に伸びる支持軸３３と、該支持軸３３まわりに回転可能に設けられた固定ディスク３４および可動ディスク３５と、支持軸３３の軸芯方向に移動可能に構成されたスライダー３６と、可動ディスク３５とスライダー３６との間に配されて可動ディスク３５を固定ディスク３４に向かって押圧付勢するコイルばね（付勢部材）３７とを含み、コイルばね３７により支持軸３３の軸芯方向に移動可能に構成された可動ディスク３５を固定ディスク３４に向かって押圧付勢することで、両ディスク３４・３５間を走行するクリール糸Ｙ１に対してテンションを付与することができるように構成されている。
【００３４】
スライダー３６は、上下方向に長い板材であり、上下のテンション機構３２・３２を構成する両コイルばね３７・３７の一端を受け止めて、両コイルばね３７・３７に付勢力を与えている。なお、スライダー３６の後方側への移動限界は、支持軸３３の後端に装着されたスナップリング３８で規制されている。なお、図１０および図１１において、符号３９は、テンサー３０の上下に配されて、クリール糸Ｙ１の糸道を形成する通糸パイプを示す。
【００３５】
図１０において、符号４０は、コイルばね３７による可動ディスク３５への付勢力を調整することを目的として、支持軸３３の後端とスライダー３６との間に介在されたスペーサを示す。このスペーサ４０は、ハウジング３１の上部および下部に形成された開口部４１に差込装着されるものであり、スライダー３６に接する受板部４２と、開口部４１の開口寸法よりも大形に形成されて、ハウジング３１内への受板部４２の差込限界を規制するための規制部４３とで構成される。受板部４２には、支持軸３３との接触を避けるためのスリット４４が形成されており、従って受板部４２は二股状に形成されている。スリット４４の下端には、下拡がりテーパー状に形成されたガイド部が形成されている。図１０には、板厚寸法の異なる二枚のスペーサ４０・４０を、支持軸３３の後端とスライダー３６との間に差込装着した状態を示す。
【００３６】
このように、ハウジング３１内へ差込装着されるスペーサ４０の枚数や該スペーサ４０の板厚を異なるものとすることにより、コイルばね３７の可動ディスク３５に対する押圧付勢力を適宜に変更して、両ディスク３４・３５間を走行するクリール糸Ｙ１に対するテンションを簡単且つ確実に調整することができる。また、このテンサー３０は機械式のテンサーであり、従来のマグネットテンサーに比べて構造が格段に簡単であるため、故障時における復旧作業が容易であり、しかもメンテナンス作業等も容易である点でも優れている。
【００３７】
図１および図３に示すように、合撚糸ライン７の下部には、第１の給糸ボビン１１から解舒されたクリール糸Ｙ１と、第２の給糸ボビン１２から解舒されたスピンドル糸Ｙ２とを撚り合わせて合撚糸Ｙ３を形成するための合撚糸装置５０が設けられている。図５に示すように、合撚糸装置５０は、クリール糸Ｙ１をバルーン５１とするためのスピンドル６０と、スピンドル６０のおくれ盤６１およびロータリーディスク６２を駆動回転するためのスピンドルモータ（駆動源）５２と、スピンドル糸Ｙ２に初期テンションを与えるためのマグネットテンサー５３と、クリール糸Ｙ１とスピンドル糸Ｙ２の長さを揃えるためのバルーンフライヤー５４とを含む。符号５５は、スピンドル６０およびスピンドルモータ５２を支持する支持基台を示す。
【００３８】
図５および図６に示すように、スピンドル６０は、外周面にクリール糸Ｙ１が巻き付けられるおくれ盤６１と、おくれ盤６１の上部に設けられたロータリーディスク６２と、ロータリーディスク６２の上部に設けられた静止ディスク６３と、ベアリング６４とを含み、静止ディスク６３上に第２の給糸ボビン１２が装着される。おくれ盤６１およびロータリーディスク６２は、スピンドルモータ５２の出力軸５６に固定されており、該出力軸５６により駆動回転される。静止ディスク６３と出力軸５６との間はベアリング６４が配されており、静止ディスク６３が出力軸５６と同行回転することを防いでいる。
【００３９】
静止ディスク６３は、出力軸にベアリングを介して支持されたハブ６５と、ハブ６５の下方に装着された下フランジ６６と、下フランジ６６に支持された有底皿状の下カバー６７と、下カバー６７の底面に配された円筒状のポスト６９とを含む。ポスト６９の上面には、第２の給糸ボビン１２の外周面を部分的に覆う上カバー６８が支持されている。ハブ６５の上方には嵩上げ部材７０を介して第２の給糸ボビン１２が設置されている。
【００４０】
嵩上げ部材７０は、ハブ６５に外嵌状に装着される有底円筒状の軸受部７１と、軸受部７１の上方に設けられたホルダー部７２とを備えるものであり、ホルダー部７２に第２の給糸ボビン１２のボビン筒１４を外嵌装着することで、軸受部７１の高さ寸法分等だけ、第２の給糸ボビン１２を静止ディスク６３上の高位置に設置することができるようになっている。
【００４１】
第１の給糸ボビン１１から解舒されたクリール糸Ｙ１は、先のテンサー３０、および出力軸５６に設けられた糸道５７を通り、スピンドル６０の下部のおくれ盤６１に巻き付けられて、ロータリーディスク６２の外周縁に接することでバルーン５１が形成されたのち、バルーンフライヤー５４に達する。また、第２の給糸ボビン１２から解舒されたスピンドル糸Ｙ２は、上方のマグネットテンサー５３を経由して、バルーンフライヤー５４に達する。この状態でスピンドル６０のロータリーディスク６２を１回転させると、スピンドル糸Ｙ２とクリール糸Ｙ１が交絡して、合撚糸Ｙ３が形成される。
【００４２】
クリール糸Ｙ１のバルーン形状の大小は、ロータリーディスク６２の外径寸法を一つの要素として決定される。また、ロータリーディスク６２の外径寸法は、第２の給糸ボビン１２の外周面、特に、第２の給糸ボビン１２の外周面の下端部に、クリール糸Ｙ１のバルーン５１が接触しないことを目的として決定される。このとき、上記のようにスピンドル６０の静止ディスク６３上に第２の給糸ボビン１２が嵩上げ部材７０を介して設置されていると、該嵩上げ部材７０の分だけ第２の給糸ボビン１２を静止ディスク６３上の高位置に設置させることができるので、上カバー６８および下カバー６７の外径を小さくすることができる。よって、バルーン５１の形状を縦長に且つ小径化することができる。つまり、第２の給糸ボビン１２が高位置に設置されているため、下半部に係るバルーン５１の径を小径化した場合でも、第２の給糸ボビン１２の外周面の下端部にバルーン５１が接することはなく、従って、スピンドル６０のロータリーディスク６２の外径寸法を小さくすることが可能となる。このように、スピンドル６０のロータリーディスク６２の外径寸法を小さくすることができると、該スピンドル６０を駆動回転させるためのスピンドルモータ５２の消費電力量を減らすことができるので、結果として合撚糸機１のランニングコストの低減化に貢献できる。
【００４３】
図１、図３および図１４に示すように、合撚糸装置５０で形成された合撚糸Ｙ３は、フィードローラ８０でテンションが付与されたのち、巻取装置９１に巻き取られる。図１５および図１６に示すように、本実施形態に係るフィードローラ８０は、駆動回転される一対のディスク８１・８１と、両ディスク８１・８１の間に介在されたスペーサ８２とで構成される。図２に示すように、フィードローラ８０は、ドライブエンドボックス４に内蔵の駆動モータ３の駆動力を受けるシャフト８３により駆動回転される。
【００４４】
図１５および図１６に示すように、各ディスク８１の外周縁の対向内面には、複数個の突起８４が周方向へ等間隔おきに突設されている。また、両ディスク８１・８１は、各突起８４の周方向の位相をずらした状態で、スペーサ８２を介して対向配置されている。図１５に示すように、突起８４には、ディスク８１の外周縁側に下り傾斜して、合撚糸Ｙ３を受け止める傾斜面８５が形成されており、図１６に示すように、隣り合う突起８４の傾斜面８５を繋ぐように、ディスク８１の全周に亘って糸道が形成されている。そのうえで、図１４に示すように、このフィードローラ８０では、合撚糸Ｙ３が糸道の一部に受け止められた状態で巻取装置９１側へ送られるようになっており、ディスク８１・８１間に形成された糸道の全周（フィードローラ８０の全周）に亘って合撚糸Ｙ３が巻き掛けられていない点が着目される。
【００４５】
このように、本実施形態に係るフィードローラ８０では、合撚糸Ｙ３が糸道の一部に受け止められた状態で、巻取装置９１側へ送られるようにしたので、従来のフィードローラでは不可欠であった、送りローラ或いは補助ローラへの全周に亘る巻掛作業を廃することができる。これにて、より迅速にフィードローラ８０への合撚糸Ｙ３の糸掛け作業を行なうことが可能となるので、合撚糸ライン７による合撚糸作業を迅速に進めることができる。また、従来のフィードローラでは、送りローラ等に巻き掛けられた合糸の下流側の糸に、上流側の糸が重なると、下流側の糸が巻取装置に送られず、糸切れを生じるおそれがある。これに対して、本実施形態に係るフィードローラ８０では、合撚糸Ｙ３どうしが重なることがなく、従って糸切れを招くおそれがない点で優れている。
【００４６】
図１および図３に示すように、フィードローラ８０により所定のテンションが付与された合撚糸Ｙ３は、トラバース装置９０を経由したのち、巻取装置９１により巻き取られ、巻取パッケージ９２とされる。
【００４７】
次に、合撚糸ライン７における給糸ボビン１１・１２のローテーション方法について、図１８および図１９を参照して説明する。
まず、図１８（ａ）に示すように、ボビン支持フレーム２０の第１のボビン支持軸２１（２１ａ）に満巻き状態の第１の給糸ボビン１１（１１ａ）を装着し、スピンドル６０の静止ディスク６３上に第２の給糸ボビン１２を装着し、両ボビンから解舒された糸を合撚糸装置５０により撚り合わせて合撚糸を作成する（第１の合撚糸作成工程）。このとき、スピンドル６０の静止ディスク６３上には満巻き状態に対して外径寸法が半分程度の給糸ボビン１２を設置する。
【００４８】
図１８（ｂ）に示すように、合撚糸作業に伴って、第１の給糸ボビン１１（１１ａ）が、その外径寸法が満巻き状態に対して半分程度の半巻き状態に至ると、合撚糸ライン７を構成する合撚糸装置５０等の各要素を停止させて、給糸ボビン１１・１２のローテーション作業を行なう（ローテーション工程）。具体的には、図１８（ｃ）に示すように、静止ディスク６３上に設置されていて軽寸法が小さくなった使用途中の第２の給糸ボビン１２を、ボビン支持フレーム２０の第２のボビン支持軸２１ｂに装着して、第１の給糸ボビン１１ｂ（１２）とする。また、第１のボビン支持軸２１ａに装着されていた給糸ボビン１１（１１ａ）を、スピンドル６０の静止ディスク６３上に設置して第２の給糸ボビン１２（１１ａ）とする。また、第１のボビン支持軸２１ａに、新たに満巻き状態の第１の給糸ボビン１１（１１ａ）を装着する。また、第１のボビン支持軸２１ａに装着された満巻き状態の給糸ボビン１１（１１ａ）の糸始端と、第２のボビン支持軸２１ｂに装着された使用途中の給糸ボビン１１（１１ｂ）の糸終端とを結合する（図８参照）。
【００４９】
図１８（ｂ）に示す状態から合撚糸作業を進めると、図１８（ｃ）および図１９（ａ）に示すように、使用途中の給糸ボビン１１（１１ｂ）、次いで満巻き状態の給糸ボビン１１（１１ａ）から繰り出したクリール糸Ｙ１と、静止ディスク６３上の半巻き状態の給糸ボビン１２から繰り出された糸Ｙ２とが撚り合わされて、合撚糸Ｙ３が作成される（第２の合撚糸作成工程）。
【００５０】
合撚糸作業に伴って、図１９（ａ）に示すように、第１のボビン支持軸２１ａに装着された給糸ボビン１１（１１ａ）が、その外径寸法が満巻き状態に対して半分程度の半巻き状態に至ると、合撚糸ライン７を構成する合撚糸装置５０等の各要素を再び停止させて、先と同様の手順で給糸ボビン１１・１２のローテーション作業を行なう（ローテーション工程）。すなわち、図１９（ｂ）に示すように、静止ディスク６３上に設置されていて径寸法が小さくなった使用途中の給糸ボビン１２をボビン支持フレーム２０の第２のボビン支持軸２１ｂに装着する。また、第１のボビン支持軸２１ａに装着されていて半巻き状態に至った給糸ボビン１１ａを、スピンドル６０の静止ディスク６３上に設置する。また、第１のボビン支持軸２１ａに新たな満巻き状態の給糸ボビン１１ａを装着する。また、第１のボビン支持軸２１ａに装着された満巻き状態の給糸ボビン１１ａの糸始端と、第２のボビン支持軸２１ｂに装着された使用途中の給糸ボビン１１ｂの糸終端とを結合する（図８参照）。
【００５１】
以後の図１９（ｂ）・（ｃ）に示す合撚糸作成工程、およびローテーション工程は、先の図１８（ｃ）および図１９（ａ）と同様である。すなわち、図１８（ｃ）および図１９（ａ）に示すような、ローテーション工程と、第２の合撚糸作成工程とを繰り返して、合撚糸を作成する。また、合撚糸機１には、所定量の合撚糸が送られたときに、合撚糸機１による合撚糸作成工程を中断させて、アラーム報知部にアラームを報知させる制御部を設けてある。このアラーム報知部による報知と、合撚糸作成工程の中断により、スピンドル６０の静止ディスク６３に設置された給糸ボビン１２の糸が全て巻き出されてしまうことを防止することができる。前述の所定量の合撚糸は、オペレータが自由に設定変更することが可能であり、フィードローラ８０等の回転数によって導かれる糸の送り長さによって規定される量である。
【００５２】
以上のように、本実施形態に係る合撚糸装置１の合撚糸ライン７では、満巻き状態からボビン径が小さくなると、支持フレーム２０の第１の支持軸２１ａ、スピンドル６０の静止ディスク６３、次いで支持フレーム２０の第２の支持軸２１ｂの順に、給糸ボビン１１・１２をローテーションするようにした。これによれば、給糸ボビン１１・１２に巻き掛けられている糸を、無駄なく最後まで使い切ることができる。従って、使用途中の給糸ボビンが在庫されることや廃棄されることがなく、糸の歩留まりを向上させることが出来る。
【００５３】
次に、撚糸ラインについて説明する。
上述のように、撚糸ライン８は、一本の糸Ｙ４に撚りを入れて撚糸Ｙ５を形成するものであり、図４に示すように、機台の下部に配されてスピンドルモータ（駆動源）９５によって回転されるスピンドル９６の静止ディスク９７上に装着された第３の給糸ボビン１３から解舒されたスピンドル糸Ｙ４に撚りを入れて撚糸Ｙ５を形成し、該撚糸Ｙ５を巻取装置９１で巻き取るものである。かかる第３の給糸ボビン１３は、満巻き状態の給糸ボビンであり、その外径寸法（満巻き状態の給糸ボビンの外径寸法）に合わせて、スピンドル９６のロータリーディスク９８の径寸法は設定されている。すなわち、ロータリーディスク９８の径寸法は、上述の合撚糸ライン７のロータリーディスク６２に比べて、大径に形成されている。また、この撚糸ラインで８は、第３の給糸ボビン１３は、上述のような嵩上げ部材を用いることなく、静止ディスク９７上に設置されている。それ以外のフィードローラ８０、トラバース装置９０、および巻取装置９１の構成は、合撚糸ライン７と同様であるので、同一の部材には同一の符号を付して、その説明を省略する。また、合撚糸ライン７と撚糸ライン８の両ラインにおいて、フレーム１０、巻取装置９１等が共通化されていることは先に述べたとおりである。
【符号の説明】
【００５４】
７  合撚糸ライン
８  撚糸ライン
１１  第１の給糸ボビン
１２  第２の給糸ボビン
２０  ボビン支持フレーム
２１  ボビン支持軸
３０  張力付与装置（テンサー）
３１  ハウジング
３３  支持軸
３４  固定ディスク
３５  可動ディスク
３６  スライダー
３７  付勢部材（コイルばね）
４０  スペーサ
４１  開口部
４２  受板部
４３  規制部
４４  スリット
５１  バルーン
５２  駆動源（スピンドルモータ）
６０  スピンドル
６２  ロータリーディスク
６３  静止ディスク
７０  嵩上げ部材
８０  フィードローラ
８１  ディスク
８２  スペーサ
８４  突起
８５  傾斜面
９１  巻取装置
９５  駆動源（スピンドルモータ）
９６  スピンドル
Ｙ１  クリール糸
Ｙ２  スピンドル糸
Ｙ３  合撚糸
Ｙ４  スピンドル糸
Ｙ５  撚糸
【図１】
2012001857.tif 000003
【図２】
2012001857.tif 000004
【図３】
2012001857.tif 000005
【図４】
2012001857.tif 000006
【図５】
2012001857.tif 000007
【図６】
2012001857.tif 000008
【図７】
2012001857.tif 000009
【図８】
2012001857.tif 000010
【図９】
2012001857.tif 000011
【図１０】
2012001857.tif 000012
【図１１】
2012001857.tif 000013
【図１２】
2012001857.tif 000014
【図１３】
2012001857.tif 000015
【図１４】
2012001857.tif 000016
【図１５】
2012001857.tif 000017
【図１６】
2012001857.tif 000018
【図１７】
2012001857.tif 000019
【図１８】
2012001857.tif 000020
【図１９】
2012001857.tif 000021